(57)【要約】【課題】生理用ナプキンの個別包装を解く際に止着テープや止着部を剥がすような音を発生させることなく個別包装が解け、生理用物品の品質が保持され、一目で生理用物品とはわかりにくい生理用物品の個包装体を提供する。【解決手段】少なくとも肌当接面側に液透過性の表面材、非肌当接面側に液不透過性の裏面材を有する縦長の生理用物品１０とこれを個装する包装材２０とを有する個包装体であり、前記生理用物品１０の非肌当接面側に配された下着固定用の粘着層と前記包装材２０（剥離紙２４）の剥離処理された内面とを着脱自在に粘着させてなり、前記包装材２０の幅が前記生理用物品１０の幅よりも広く、前記包装材２０は前記生理用物品１０を該生理用物品１０の長手方向に巻いて柱状体となし、前記柱状体の両側には前記包装材２０の両端部は捻じられてなり接着されていない摘み部を有している生理用物品の個包装体を提供する。【選択図】図１
2013027464.tif 000002
【特許請求の範囲】
【請求項１】
少なくとも肌当接面側に液透過性の表面材、非肌当接面側に液不透過性の裏面材を有する縦長の生理用物品とこれを個装する包装材とを有する個包装体であり、
前記生理用物品の非肌当接面側に配された下着固定用の粘着層と前記包装材の剥離処理された内面とを着脱自在に粘着させてなり、
前記包装材の幅が前記生理用物品の幅よりも広く、
前記包装材と前記生理用物品を該生理用物品の長手方向に巻いて柱状体となし、
前記柱状体の両側には前記包装材の両端部は捻じられてなり接着されていない摘み部を有している生理用物品の個包装体。
【請求項２】
前記生理用物品の前記粘着層に着脱自在に長手方向に沿って粘着されている縦長の剥離紙と、該剥離紙の長手方向前後端の一端辺に接合された前記包装材とを有し、生理用物品と剥離紙と包装材が物品長手方向に巻かれて柱状体となし、前記柱状体の両側に摘み部を有する請求項１に記載の生理用物品の個包装体。
【請求項３】
前記包装材は、グラシン紙である請求項１または２に記載の生理用物品の個包装体。
【請求項４】
前記グラシン紙は、一方の面に剥離処理されているか、パラフィンを含侵しているグラシン紙である請求項３に記載の生理用物品の個包装体。
【請求項５】
前記包装材は、折り目角度が５°〜５０°である請求項１〜４記載のいずれか１項に記載の生理用物品の個包装体。
【発明の詳細な説明】
【技術分野】
【０００１】
本発明は生理用物品の個包装体に関し、特には生理用ナプキンを個別に包装する生理用物品の個包装体に関する。
【背景技術】
【０００２】
従来、生理用ナプキン（以下、「ナプキン」という場合がある。）、パンティーライナー等の生理用物品（以下「物品」とも言う。）は、包装材と共に折り畳まれ、もしくは巻かれて、包装材の所定箇所を止着することにより個別包装されている。このような包装構造として、特許文献１には、ナプキンと共に包装材がそれらの長手方向に３つ折りに折り返され、かつ包装材の幅方向に沿う一方の端部に設けられた止着テープにより止着されている個別包装が開示されている。特許文献２には、パンティーライナーが包装材とともに巻回され、包装材が止着テープにより止着されているものが開示されている。特許文献３には、ナプキンを小さく内側に折りたたみ、個装フィルムの両端部を加熱融着で止着した個別包装が開示されている。これらの個別包装された生理用物品を使用する場合には、いずれもまず、包装材を止着している止着テープを引き剥がすか、止着部を引き剥がす必要があった。しかし、止着テープや融着による止着部を引き剥がす時には、比較的大きな引き剥がし音（ビリッビリッという音）が発生するため、この引き剥がし音を気にする使用者が少なくなかった。上述の生理用ナプキンの個別包装の止着には、止着テープの貼付工程や熱融着工程が必要であり、単に包装材で生理用ナプキンを包むだけではなかった。また特許文献１に開示された包装方法では、かさ張るので、携行に不便を感じる使用者もいた。そこで特許文献２に開示された包装方法では、ロール状に巻くことにより、コンパクトな包装を実現していた。このようにロール状に巻いたナプキンは特許文献４にも開示されているが、このナプキンは包装をコンパクトにするためにロール状にしたものではない。
さらに各特許文献に開示された発明では、包装を解く際に発生する音については考慮されていなかった。
またさらに、ナプキンの従来の折りたたんでコンパクトにする包装方法の場合、広げると畳み皴が残る、折り癖が残る場合があり、そのような場合には、ナプキン本来の性能が損なわれることがあった。また、折りたたんで包装するナプキンでは、一目でナプキンと分かることに対する恥ずかしさを感じる使用者も少なくなかった。
そこで、生理用ナプキンの品質が保持されつつ、新たな形態の包装構造が望まれていた。
【先行技術文献】
【特許文献】
【０００３】
【特許文献１】特開２００３−０８８５４８号公報
【特許文献２】特許第４５７８３１９号公報
【特許文献３】特開平０９―２６６９２８号公報
【特許文献４】特開２００６−１６７４０５号公報
【発明の概要】
【発明が解決しようとする課題】
【０００４】
生理用ナプキンの個別包装を解く際に止着テープや止着部を剥がすような音を発生させることなく個別包装が解け、しかも生理用物品の品質が保持され、一目で生理用物品とはわかりにくい生理用物品の個包装体を提供することにある。
【課題を解決するための手段】
【０００５】
本発明は、少なくとも肌当接面側に液透過性の表面材、非肌当接面側に液不透過性の裏面材を有する縦長の生理用物品とこれを個装する包装材とを有する個包装体であり、前記生理用物品の非肌当接面側に配された下着固定用の粘着層と前記包装材の剥離処理された内面とを着脱自在に粘着させてなり、前記包装材の幅が前記生理用物品の幅よりも広く、前記包装材と前記生理用物品を該生理用物品の長手方向に巻いて柱状体となし、前記柱状体の両側には前記包装材の両端部は捻じられている摘み部を有し、該摘み部は熱などで接着されていない生理用物品の個包装体を提供する。
【発明の効果】
【０００６】
本発明の生理用物品の個包装体は、生理用ナプキンやパンティーライナー等の生理用物品の個別包装を解く際に止着テープや熱接合された止着部を剥がすような音を発生させることなく個別包装を解くことが可能になり、生理用物品の品質が保持でき、一目で生理用物品とはわかりにくい。
【図面の簡単な説明】
【０００７】
【図１】本発明の生理用物品の個包装体の好ましい一実施形態を示した生理用物品としての生理用ナプキンの個包装体の斜視図であり、（１）は個装前の展開斜視図であり、（２）は個装後の斜視図である。
【図２】包装材本体の変形例を示した斜視図である。
【図３】好ましい実施形態の生理用ナプキンの個包装体を得る手順の一例を示した斜視図である。
【図４】コンパクトな個包装体を得るための生理用ナプキンの折り方の一例を示した斜視図である。
【図５】生理用ナプキンの巻き方の構成の一例を示した斜視図である。
【図６】剥離紙の剛性を向上させた構成の一例を示した斜視図である。
【図７】生理用ナプキンの巻き易さを向上させた構成の一例を示した平面図であり、（１）は部分破断平面図である。
【発明を実施するための形態】
【０００８】
本発明に係る生理用物品の個包装体の好ましい一実施形態として、生理用ナプキンの個包装体について、図１を参照しながら、以下に説明する。
図１に示すように、生理用ナプキンの個包装体３０は、生理用ナプキン１０とこれを包む包装材２０とからなる。生理用ナプキン１０は、その肌当接面側に配された液透過性の表面シート１と、その非肌当接面側に配された液不透過性の裏面シート（図示せず）と、該表面シート１と該裏面シートとの間に配された吸収体（図示せず）とを備えている。表面シート１、裏面シートおよび吸収体は、公知のものを種々用いることができる。生理用ナプキン１０の非肌当接面（裏面シート）側にはショーツ等の下着に固定するための粘着層（図示せず）が配され、この粘着層と包装材２０の内面を着脱自在に粘着させている。また、包装材２０は、上記粘着層が着脱自在に粘着される剥離紙２４と、剥離紙２４とともに生理用ナプキン１０をその長手方向に巻いたものをさらに巻いて包装する包装材２０とを有する。包装材２０は、その幅が生理用ナプキン１０の幅よりも広くなっていて、（１）その長さは、生理用ナプキン１０の長さよりも長く、内面が剥離処理された包装材２０若しくは剥離紙２４を介して包装材２０がナプキン全体を覆うように配置されて、生理用ナプキン１０と包装材２０をともに表面材側（肌当接面）が巻き内となるよう巻き回して得た柱状体の包装材の両側部を接合せずに捻じって摘み部２３Ａ，２３Ｂを形成する。また、（２）包装材２０の長さが生理用ナプキン１０の長さよりも短い場合は、生理用ナプキン１０の粘着層を覆うように剥離紙２４を貼り付けて、生理用ナプキン１０長手方向の前後いずれかの端部よりの剥離紙２４と包装材２０を接合固定し、該接合固定部がないほうの生理用ナプキン１０端部及び表面シート１側（肌当接面）が巻き内となるよう巻き回して得られた柱状体の包装材の両側部を接合せずに捻じって摘み部２３Ａ，２３Ｂを形成する。さらに、（３）粘着層を剥離紙２４で覆った生理用ナプキン１０を長手方向に表面シート１側（肌当接面）が巻き内となるよう巻き回してナプキン巻き体を形成し、かかる巻き体の巻き円周長よりも長くナプキンの幅より広い包装材２０で包んで柱状体とし、かかる両側部の包装材２０を捻じって摘み部２３Ａ，２３Ｂを形成してもよい。この場合、包装材２０の一部とナプキンの巻き体は接合固定されてもされなくてもかまわない。
なお、摘み部２３Ａ，２３Ｂは捻じりで形成されていれば密封性や開封性が達成でき、ヒートシールなどで接着を設けると却って開封が煩わしく、開封時の剥離音も発生する可能性があり接着は施さない。本明細書中でいう幅とは、巻き方向に対して直角方向の長さをいう。そして、巻かれた包装材２０の両端が捻じられて、捻じり部２１Ａ，２１Ｂが作られている。この捻じり部２１Ａ，２１Ｂは、強く捻じられていて、捻じった状態が保持されている部分の捻じり基部２２Ａ，２２Ｂと、やや押し潰されているがほとんど捻じられていない摘み部２３Ａ，２３Ｂを有する。
粘着層は、縦長の矩形状であり、または縦長の細長い棒状に幅方向複数配置、もしくは横長の棒状に長手方向に多数列配置し全体視矩形状に配置されたものである。
本発明における生理用ナプキン１０、粘着層、剥離紙２４はいずれも縦長であり、その長さは、生理用ナプキン１０＞剥離紙２４＞粘着層の順に短くなる。その幅も同様の関係となる。また、包装材２０は、幅は、包装材２０＞生理用ナプキン１０＞剥離紙２４＞粘着層の順に短くなる。長さは、同様の関係にある場合と包装材２０が生理用ナプキン１０よりも短い場合があり、前者の場合は、生理用ナプキン１０全体を包装材２０が覆い、一体的に巻き回されて柱状体形成する場合と、後者は、生理用ナプキン１０を巻き回して、ナプキン巻き体を後から包装材２０で包み込み柱状体となす形態とに使い分けることが出来る。パンティーライナー等の生理用物品も同様である。
【０００９】
本発明の生理用ナプキンの個包装体３０は、前述した実施形態に制限されることなく、以下に述べるように適宜変更が可能である。
前記実施形態において、上記剥離紙２４は、一般の生理用ナプキンの剥離紙と同様な材料、形状を用いることができる。剥離紙２４は、具体的には、シリコーン処理剤の塗工量が０．１〜５ｇ／ｍ２の剥離処理した上質紙、グラシン紙、ポリエチレンフィルム、それらの複合物等が挙げられる。この剥離処理は、公知の手法を用いて行うことができる。さらに剥離紙２４の外形の大きさは、生理用ナプキン１０の外形よりも小さくても、大きくてもよく、または生理用ナプキン１０の外形と同等であってもよい。なお、剥離紙２４の幅が生理用ナプキン１０の幅より大きい場合には、上記包装材２０の幅は剥離紙２４の幅より大きくなる。
【００１０】
本発明に最適な包装材２０としては、変形時の音が小さく、かつ捻じった後の形状維持する観点からグラシン紙が好ましい。かかるグラシン紙は、長時間叩解した亜硫酸パルプを原料とし、スーパーカレンダーなどの高圧ローラーを使って加工することでパルプの繊維は圧縮・平滑化され、隙間の少ない紙である。かかる紙の特徴として、透明度が高く光沢があり滑らかであり、耐油性耐水性がある酸性紙である。前記実施形態において、グラシン紙の少なくとも一方の面もしくは両方の面にパラフィン等による二次加工（塗布、含浸等）をほどこした紙（パラフィン紙とも言う）が折り目の形成しやすさ（折り目形成性）及び耐久性（強度）を高める点でより好ましいが、折り目の形成しやすさの点で、十分な強度を有していればグラシン紙のみでも良い。また、折り目形成性と強度向上の観点から、剥離処理をする場合は、剥離処理前の包装材の下地に平滑化処理しておくことが好ましい。グラシン紙の場合、その坪量が２０〜８０ｇ／ｍ２が好ましく、より好ましくは坪量が２５〜６０ｇ／ｍ２であり、個包装時の捻じり形状の安定性と個包装端部の持ち易さにより特に好ましくは３０〜５０ｇ／ｍ２である。
この包装材２０は、その坪量に起因して厚さが薄すぎると捻じりが弱くしか形成できず個包装が開いてしまい易い構造となり密封性が妨げられ、厚すぎると捻じりによる起伏が大きく破れの発生や捻じれが安定しない構造となる。また、その坪量が少なすぎる（繊維量が少ない）と捻じり時や保存時に個包装の破断が起こり易くなり、坪量が多すぎると反発の大きさから個包装の開封が起こり易くなる。
【００１１】
包装材２０の中央を引張り開封する時の力である開封力は、例えばプッシュプルゲージで測定する場合、包装材２０の捻じり部２１Ａ，２１Ｂが形成されない長さ方向両端部中央に包装材２０とほぼ同じ長さの幅３０ｍｍの紙片を固定し、紙片が開封端部から包装材２０の外方に出るように内容物を包装材２０ごと丸め、捻じり部２１Ａ，２１Ｂを形成し、その後２枚の紙片を１８０度方向に引っ張った時の開封力が１〜２０ｃＮのものが好ましい。また捻じり基部２２Ａ，２２Ｂにおける捻じり回数、指でつまむ摘み部２３Ａ，２３Ｂの長さは後述する「包装性評価」と同様とした。
【００１２】
前記実施形態においては、上記剥離紙２４の長手方向の一端辺部に包装材２０の一端辺部が接続されている。したがって、包装材２０は、生理用ナプキン１０の巻き終わり端よりほぼ包装材２０分だけ長くなり、巻かれた状態の生理用ナプキン１０は包装材２０によって完全に巻き包まれる。このように巻くには、包装材２０の巻き方向の長さは、巻いた状態の生理用ナプキン１０を周長よりも長くなっている必要がある。包装材２０の長さは、巻いた状態の生理用ナプキン１０の周長の１．０５倍〜１．７倍であり、好ましくは１．１倍〜１．５倍であり、より好ましくは１．２倍〜１．３倍である。これらの場合、巻いた状態の生理用ナプキン１０をさらに包装材２０で巻いた状態では、包装材２０に重なり部分が存在するので、包装材２０の両端を捻じって封をしたときに生理用ナプキン１０が露出しにくくなる。この包装材２０の重なり部分は、巻いた状態の生理用ナプキン１０の周長（生理用ナプキン側方部における重なりの最大の値）の７０％より大きすぎると、包装材２０から生理用ナプキン１０が取り出しに難くなり、５％より少なすぎると、内側と外側の包装材２０同士の重なり部分が短くなって、包装材２０内部の生理用ナプキン１０の品質保持が難しくなり、生理用ナプキン１０の幅方向中央部において包装材２０から生理用ナプキン１０が露出し易くなる。したがって、上記重なり部分は、巻いた状態の生理用ナプキン１０を周長の５％〜７０％の範囲内であることが好ましく、より好ましくは１０％〜５０％であり、特に好ましくは１０％〜３０％である。
【００１３】
また、包装材２０の幅方向の長さは、摘み部２３Ａ，２３Ｂを作るために、所定の長さが必要である。また、その長さは捻じりを解き易い長さである必要がある。通常、捻じりを解くときは指でつまむ。そこで、指で摘まむ摘み部２３Ａ，２３Ｂの長さは、１０ｍｍ〜３０ｍｍであり、好ましくは１２ｍｍ〜２５ｍｍであり、より好ましくは１５ｍｍ〜２０ｍｍである。この長さが長すぎると、個包装体３０がかさばり、携帯しにくくなる。短すぎると、摘み部２３Ａ，２３Ｂが摘まみにくくなるので捻じりが解きにくくなる。なお、ここでいう摘み部２３Ａ，２３Ｂの長さは、捻じり基部２２Ａ，２２Ｂのそれぞれから捻じり部２１Ａ，２１Ｂの端辺までの長さをいう。
【００１４】
さらに、捻じる回数は、０．５〜４回であり、好ましくは０．７〜３回であり、強く捻じられている部分である捻じり基部２２Ａ，２２Ｂからの異物の侵入を防ぐ点で、より好ましくは０．９〜２．５回である。捻じり回数が多すぎると、捻じりが解きにくくさらに捻じり解除後も円柱形の形状が維持され易くなり、生理用ナプキン１０を取り出しにくくなる。捻じり回数が少なすぎると、捻じり基部２２Ａ，２２Ｂが解け易くなり、個包装が不完全になって生理用ナプキン１０が露出し易くなる。このように、生理用ナプキン１０を衛生的に清潔な状態に保つためにも、上記捻じり回数が必要となる。
【００１５】
前記実施形態においては、図２（１）に示すように、捻じって作製した捻じり基部２２Ａ，２２Ｂ（前記図１参照。）が戻りやすいように上記包装材２０の全体の剛性を強めてもよい。この場合、剛性を付与する加工の難易度が低い。または図２（２）に示すように、上記包装材２０の幅方向の側部２０Ａ，２０Ｂの剛性を強めてもよい。この剛性は、後述する「包装性評価」における包装材２０が開く角度（折り目角度）を計測して求めることができる。例えば、その折り目角度は、５°以上５０°以下であり、好ましくは２０°以上３５°以下であり、より好ましくは２５°以上３０°以下である。なお、開き角が大きすぎると剛性が強すぎて、捻じりを作っても戻ってしまい、捻じり状態を保持することが難しくなる。また、捻じり部２１Ａ，２１Ｂの触感が硬く、触り心地がよくない。一方、開き角が少なすぎると剛性が弱すぎて、包装材２０の重ね合わせ部分に隙間ができ易くなり、重ね合わせ部分での防塵性、防湿性が劣ることとなる。したがって、上記範囲の開き角を有することが好ましい。
また、上記開き角の範囲で巻いた生理用ナプキン１０が包まれる部分の包装材２０の剛性を弱くすることで、生理用ナプキン１０が包まれる部分を柔らかな風合いに見せることができ、見栄えがよくなる。
【００１６】
上述したように本発明の生理用ナプキンの個包装体３０は、包装材２０によって生理用ナプキン１０を巻き包む。また個包装体３０の両端に捻じり部２１Ａ，２１Ｂを作ることで、包装材２０による包装が自然に解けないようになっている。この包装を解くには、捻じり部２１Ａ，２１Ｂの捻じりを戻すだけでよいので、従来の止着テープや止着部を引き剥がす時に発生していた引き剥がし音（例えば「ビリッビリッ」というような音）が発生しない。このため、個包装体３０からの生理用ナプキン１０の取り出しを周囲の人に気づかれないように行うことができる。
【００１７】
特に、包装材２０にパラフィンを塗工または含侵させたグラシン紙、またはグラシン紙のみを用いた場合、捻じり部２１Ａ，２１Ｂの捻じりを戻すときに音がほとんど発生しない。かすかな音が発生しても、周囲の人に気づかれるような音量ではない。これはグラシン紙やパラフィンを塗工したグラシン紙は、折りが固定され易く細かい皴（しわ）が生じ易いため、捻じりを解くときに皴と皴の間の微小部分で順に捻じりが解けていくことが音を発生しにくくしている一因である。細かい皴がない場合には、一機に捻じりが解けるため、音が発生することがある。しかし、その音は従来の止着テープや止着部を引き剥がす時に発生していたような引き剥がし音よりは小さく感じられる音である。
【００１８】
また、捻じり部２１Ａ，２１Ｂの捻じり方向は、互いに捻じり方向を逆方向とすることが好ましく、捻じり部２１Ａ，２１Ｂを逆方向に捻じって作製することで、捻じりを解く際に両方の捻じり部２１Ａ，２１Ｂを逆方向に引っ張るだけで、両方の捻じりが静かに、同時かつ容易に解けるようになる。しかも、包装材２０に剥離紙２４が接続され、その剥離紙２４に生理用ナプキン１０が粘着している場合には、捻じりを解いたときに生理用ナプキン１０が落下することはない。
【００１９】
また、包装材２０の種類にもよるが、パラフィンを塗工したグラシン紙では、捻じり部２１Ａ，２１Ｂを作るときの折り目角度を上述した範囲とすることで、捻じりが戻りにくくなる。しかも、捻じれ基部２２Ａ，２２Ｂにおいて捻じりが保持されることによって包装材２０が重ね合わされる部分には、巻かれている生理用ナプキン１０の開こうとする力の作用によって内側から包装材２０を重ね合せようとする力が働く。一方、包装材２０の両方の捻じり部２１Ａ，２１Ｂによって、生理用ナプキン１０の巻き付けを維持しようとする外側からの力が包装材２０に働く。このため、包装材２０が上述した折り目角度を有すれば、包装材２０の重ね合わせ部は外側と内側から力を受けることによって、よりしっかりと重ね合わされるので、包装材２０の内部に塵埃や湿気が入りにくくなる。よって、包装材２０によって生理用ナプキン１０の品質が保持される。しかも、生理用ナプキン１０を折りたたまないでロール状に巻くため、畳み皴が残ることや折り癖が残ることがないので、生理用ナプキン１０の性能を損なうこともない。また、捻じり部２１Ａ，２１Ｂは生理用ナプキン１０の両端外側に作られているので、包装材２０を巻いた両側を捻じることで、生理用ナプキン１０がつぶされることはない。この点からの、生理用ナプキン１０の品質が保持される。
【００２０】
さらに、個包装体３０は、従来の折りたたんだ生理用ナプキンの個包装体とは包装形態が全く異なるので、個包装体３０をむき出しで携帯していても周囲の人に一目でナプキンとは気付かれにくい。特に包装材２０の素材とデザイン次第では、ナプキンと分かりにくいものが作れる。これによって、気軽にナプキンを持ち歩ける可能性が拡がる。
さらにまた、個包装体３０は、従来の個装より短くコンパクトになり、かつ棒状体であるので、バッグ内やポーチ内に収納し易い。したがって、携帯性が向上する。
【００２１】
さらに、生理用ナプキン１０をロール状に巻いて包装することから、包装材２０の面積が小さくなり、また、止着テープを用いる必要もないので、止着テープの貼付工程や熱融着工程が必要でなく、単に包装材２０で生理用ナプキンを巻き包み、両端を捻じるだけであり、包装工程が簡単になる。よって、包装コストの低減が図れる。さらに、包装材２０の捻じり部２１Ａ，２１Ｂの端辺をギザギザにすることによって、さらに利用部材を低減できるとともに、ギザギザによる装飾効果が得られる。
【００２２】
次に、上述した個包装体３０の作製方法の好ましい一例を、図３を参照して説明する。図３（１）に示すように、剥離紙２４を粘着した生理用ナプキン１０を、表面シート１側を内側にして、剥離紙２４とともに矢印Ａ方向に巻く。続けて図３（２）に示すように、剥離紙２４とともに巻いた生理用ナプキン１０を、剥離紙２４の一端辺に接続している包装材２０でさらに矢印Ａ方向に巻く。巻き終えた後、図３（３）に示すように、生理用ナプキン１０を巻いた包装材２０の一方の端部を矢印Ｂ方向に捻じるとともに、他方の端部を矢印Ｃ方向に捻じって、捻じり部２１Ａ，２１Ｂを作製し、個包装体３０が完成する。矢印Ｂ方向、矢印Ｃ方向は、どちらか一方が時計回りとすれば他方は反時計回りとする。なお、同一方向に捻じることを排除するものではない。
【００２３】
さらに個包装体３０をコンパクトに作製する方法を、図４を参照して説明する。図４（１）、（２）に示した生理用ナプキン１０はウィングが付いていないものであり、図４（３）、（４）に示した生理用ナプキン１０はウィング１１が付いているものである。
【００２４】
図４（２）に示した生理用ナプキン１０は、その幅方向両側の側部を内側（表面シート１側）に折り曲げたものであり、図４（１）に示した折り曲げない生理用ナプキン１０と比較して、巻いた状態の生理用ナプキン１０（図４（５）参照。）は幅方向に折り曲げた分だけ短くなる。なお、生理用ナプキン１０の厚さが厚い場合には、巻きの太さが太くなりすぎて好ましくない。したがって、このように折り返す場合は、厚さが５ｍｍ以下、好ましくは３ｍｍ以下の生理用ナプキン１０に適用することが好ましい。
【００２５】
また図４（３）に示した生理用ナプキン１０は、ウィング１１のみ表面シート１側に折り曲げたものである。この場合、巻いた状態の生理用ナプキン１０の幅がウィング１１の分だけ狭くなり、図４（１）に示した生理用ナプキン１０を巻いたものと同等の幅になる。図４（４）に示した生理用ナプキン１０は、ウィング１１を剥離紙（図示せず）とともに表面シート１側に折り曲げ、さらに生理用ナプキン１０の幅方向両側の側部を内側（表面シート１側）に折り曲げたものである。この場合、図４（２）に示した生理用ナプキン１０と同様に、幅方向に折り曲げた分だけ短くなり、幅を１／２程度にすることも可能になる。る。なお、個包装体３０が太くなり過ぎないように、上述したような厚さの生理用ナプキン１０に適用することが好ましい。
このように、剥離紙（図示せず）とともに巻いた状態の生理用ナプキン１０（図４（５）参照。）の幅を短くすることができるので、巻いた状態の生理用ナプキン１０を包む個包装体３０（図４（６）参照。）はコンパクトになる。
【００２６】
次に、生理用ナプキン１０の巻き方について、図５を参照しながら説明する。図５（１）に示すように、生理用ナプキン１０を円柱状に巻く巻き方では、生理用ナプキン１０の表面シート１（図示せず）に折り目がつかないため、表面シート１の性能を損ないにくい。また多角柱状に巻く場合と比較して、折らずに巻くだけなので巻く難度が低いという利点がある。図５（２）に示すように、生理用ナプキン１０を四角柱状に巻く巻き方では、折り数が少なくなるため、中央に厚みを持つナプキンの性能を損ないにくく、そのようなナプキンを巻くのに有効である。特に中央に空間が生まれ易いので、中高吸収体を持つナプキンに有用である。また個包装体３０のパッケージングが最も簡便に行えるという利点もある。図５（３）に示すように、生理用ナプキン１０を六角柱状に巻く巻き方では、中央に空間が生まれ易いため、表面シート１（図示せず）が分厚い物に有用である。また個包装体３０をハニカム構造的に積んでパッケージングができるので嵩が減る効果が期待できる。
【００２７】
次に、包装構造の剛性を部分的（生理用ナプキンとの重なり部）に向上させることによって、生理用ナプキンの吸収性に変化を与える圧力影響を緩和しながら安定した包装形態を形成する方法について、以下に説明する。図６（１）に示すように、包装材２０との接続部における剥離紙２４の非剥離処理側表面には、固定剤２６が配され着けられている。この固定剤２６は、ホットメルト接着剤が挙げられ、剥離紙２４の非剥離側表面にあることにより、包装材２０との接着が安定しながら剥離紙による生理用ナプキンの裏面粘着剤を覆って、生理用ナプキン１０（前記図１参照）、剥離紙２４及び包装材２０を一体的に取り扱う事ができ、生理用ナプキン１０の裏面粘着剤と剥離紙２４が一体的とされることで剛性を高めながら、剛性が高くなることによる捩れ難さを防止することができる。また、一体的構造化による剛性向上により、本発明の包装構造による問題点の一つである巻き制御（巻き過ぎ・巻き不足の制御）が行い易い。
【００２８】
剛性を向上させる別の方法について、以下に説明する。図６（１）に示す剥離紙２４には、図６（２）に示すように、カバーシート２７上に剥離処理をした剥離シート２８を幅方向に引っ張った状態で貼り合わせたものを用いることが好ましい。この結果、図６（３）に示すように、剥離紙２４は、剥離シート２８の引張応力によって剥離シート２８側の幅方向に丸まろうとする力が作用する。このため、剥離紙２４の巻き方向の剛性が高められ、剥離紙２４とともに巻いた生理用ナプキンを解き戻す場合に、戻り易くなる。
【００２９】
次に、生理用ナプキン１０を長手方向に巻き易くする一例について、図７を参照して説明する。図７（１）には、表面シート１と裏面シート２の間に吸収体３が配され、少なくとも幅方向側方で表面シート１と裏面シート２が吸収体３を介さずに固定された生理用ナプキン１０が示されている。該構成の内、幅方向側方において吸収体３が配されていない事で、包装構造における捻じり形成時に捻じりに起因する引き裂き（引張）を緩和して包装を安定とする事ができる。表面シート１としては、エアスルー不織布やスパンボンド不織布等を使用する事ができ、長手方向に凹凸構造が形成されていることが、折り皺を防止し吸収性を維持向上する点から好ましい。吸収体３としては、パルプや高吸収性ポリマーを使用することができ、巻き易くする点から生理用ナプキン１０の厚さは４ｍｍ以下とすることが好ましく、そのための吸収体３として、不織布や紙により挟持あるいは固定されたポリマーシートを用いることが好ましい。裏面シート２は、ポリエチレンフィルムや炭酸カルシウム等により微細孔が形成された透湿性シートが好ましい。
【００３０】
さらに図７（２）に示すように、生理用ナプキン１０の幅方向両側の側部にギャザー１２を配することも好ましい。生理用ナプキン１０を巻いたときに、ギャザー１２によって巻きすぎを抑えることができることから全体としても巻き易くなる。またさらに図７（３）に示すように、生理用ナプキン１０の吸収体（図示せず）の表面シート１側で幅方向に複数の凹部１３を配することが好ましい。各凹部１３は溝状に作られている。この凹部１３が配されたことによって、表面シート１側を内側にして、巻き易くなる。
【００３１】
上記説明では生理用ナプキンの個別包装について説明したが、本発明の個包装体３０は、パンティーライナー等の巻くことができる生理用物品全般について適用することができる。
【００３２】
以下に、上述した実施形態の個包装体３０について実施例および比較例によりさらに詳細に説明する。なお、本発明はこれらの実施例に限定されるものではない。
【００３３】
実施例１は、包装材２０として、坪量が４０ｇ／ｍ２のグラシン紙（コクヨ株式会社製  トレーシングペーパー、品番：セ‐Ｔ１４５Ｎ）を使用した。
実施例２は、包装材２０として、坪量が５０ｇ／ｍ２のグラシン紙（コクヨ株式会社製  トレーシングペーパー、品番：セ‐Ｔ５９Ｎ）を使用した。
実施例３は、包装材２０として、グラシン紙をパラフィン処理した坪量が２７ｇ／ｍ２のパラフィン紙（株式会社博愛社、商品名：パラピン特大）を使用した。
実施例４は、包装材２０として、グラシン紙に片側面側をシリコン樹脂により剥離処理を行った坪量が４０ｇ／ｍ２の剥離紙（大昭和紙工産業株式会社、品番：ＤＳＰ４２）を使用した。
比較例は、包装材２０として、坪量が７５ｇ／ｍ２のグラシン紙（コクヨ株式会社製  トレーシングペーパー、品番：セ‐Ｔ７９）を使用した。
参考例は、包装材２０として、坪量が２２ｇ／ｍ２のティッシュ（株式会社坪野谷紙業製  品名：ＳＯＦＴ  ＴＩＳＳＵＥＳ  ＰＡＰＥＲ）を使用した。
【００３４】
［評価サンプルの準備および評価］
包装材２０は、「坪量計測」、「引張強度計測」、「折り目角度計測」、「開封力計測」、および「包装性評価」を実施した。なお、「開封力計測」は、前述の段落００１１に記載の方法である。
「坪量計測」は、「折り目角度計測」に使用するサンプルの重量を計測し、サンプルの大きさで除することにより算出した。そして異なる５サンプルの平均を坪量とした。
「引張強度計測」は、サンプルを１２０×５０ｍｍの矩形状に調整し、株式会社エー・アンド・デイ社製テンシロン万能試験機  型番ＲＴＣ１２１０Ａを用い、チャック間距離５０ｍｍ、引っ張り速度３０ｍｍ／分で試験を行い、破断時の強度を計測した。そして異なる５サンプルの平均を引張強度とした。
「折り目角度計測」は、サンプルを長さ１５０ｍｍ×幅７０ｍｍの矩形状に形成し、幅７０ｍｍの中央位置（３５ｍｍ位置）に長さ方向に印をつけ、折り目を付けないように長手方向端部同士を印で重ね合わせる。直径１０５ｍｍの金属ロール（幅７０ｍｍ程度）の周部を厚さ１０ｍｍのゴムで覆った（幅６０ｍｍ）５ｋｇのローラーを用い、長手端部を重ね合わせたサンプルの３５ｍｍ位置の部分を長手方向に沿って転がし折り目を片側３５ｍｍにのみ形成する。ローラーは１〜２秒で折り目位置に達するように長さ方向重ね端部から転がす。折り目が形成されたサンプルは、折り目が形成されていない片側によって、完全に閉じた状態とはならないため、折り目形成側の折り目角度を計測する。計測は、サンプルの非折り目側を下にして折り目側を立てて、折り目側の角度を計測する。計測に使用する分度器（コクヨ株式会社製分度器、品番：ＰＲＯ  ＴＺ−１４１１）は、折り目位置から３０ｍｍでの角度を計測し、５サンプルの平均を折り目角度とした。サンプルを立てて計測できない場合は、下側が動かないように支える程度の補助をしても良い。
「包装性評価」は、包装形態を想定した評価であり、包装される円柱形の吸収性物品として、少なくとも外面が金属で形成され、包装材２０による外圧によって容易に変形しない、円柱構造物を用いる。この円柱構造物の大きさは、直径１．２ｍｍ×長さ４．５ｍｍである。包装材２０は、６．５ｍｍ×８．８ｍｍの大きさとし、円柱構造物を約１．５周して覆い、得られた両側部を０．５回ひねって包装構造体を形成した。評価は、ひねった際に破れた場合は「破れ」と評価、１０分以内に捻じれ構造が解けた場合×、２４時間２０℃６５％ＲＨ環境下に放置して捻じれが解けた場合△、捻じれが解けずひねりが０．３〜０．４回ひねりの場合○、０．４〜０．５回ひねりの場合を◎とした。これらの評価結果を表１に示す。
【００３５】
【表１】
2013027464.tif 000003
【００３６】
評価した実施例１〜４のサンプルいずれにおいても、捻じり部を引張り開封する時に出る音は無音か小さな音で、従来の個装を開封する際に発するような大きな剥離音はでなかった。一方、比較例は、摘み部２３Ａ，２３Ｂを作ろうと捻ったところ、剛性が高すぎるために、捻じり部根本に破れが生じた。
【００３７】
したがって、上述の実施例１から実施例４に記載された個包装体３０は、音をほとんど発生することなく、捻じり部２１Ａ，２１Ｂを解いて包装材２０内の生理用ナプキン１０を容易に取り出すことができる。
【符号の説明】
【００３８】
１  表面シート
２  裏面シート
３  吸収体
１０  生理用ナプキン
１１  ウィング
１２  ギャザー
１３  溝
２０  包装材
２１Ａ，２１Ｂ  捻じり部
２２Ａ，２２Ｂ  捻じり基部
２３Ａ，２３Ｂ  摘み部
２４  剥離紙
２６  固定材
２７  カバーシート
２８  剥離シート
【図１】
2013027464.tif 000004
【図２】
2013027464.tif 000005
【図３】
2013027464.tif 000006
【図４】
2013027464.tif 000007
【図５】
2013027464.tif 000008
【図６】
2013027464.tif 000009
【図７】
2013027464.tif 000010